(57)【要約】【課題】操作に不慣れなユーザの望む機能を容易に実行することができること。【解決手段】撮像装置１は、リング操作またはタッチ操作に応じて音声処理部２２を動作させ、音声処理部２２に音声データを生成させる動作制御部３２１と、特定の音声及び特定の機能が関連付けられた関連情報を記録するＦｌａｓｈメモリ２９と、音声処理部２２にて生成された音声データを解析し、関連情報に含まれる特定の音声が入力されたか否かを判定する音声判定部３２２と、音声判定部３２２にて特定の音声が入力されたと判定された場合に、関連情報に基づいて、入力された特定の音声に関連付けられた機能を実行する機能実行部３２４とを備える。【選択図】図２
2015011634.tif 000002
【特許請求の範囲】
【請求項１】
ユーザ操作を受け付ける操作入力部と、
入力した音声に基づいて、音声データを生成する音声データ生成部と、
前記ユーザ操作に応じて前記音声データ生成部を動作させ、前記音声データ生成部に音声データを生成させる動作制御部と、
特定の音声及び特定の機能が関連付けられた関連情報を記録する関連情報記録部と、
前記音声データ生成部にて生成された音声データを解析し、前記関連情報に含まれる前記特定の音声が入力されたか否かを判定する音声判定部と、
前記音声判定部にて前記特定の音声が入力されたと判定された場合に、前記関連情報に基づいて、入力された前記特定の音声に関連付けられた機能を実行する機能実行部とを備える
ことを特徴とする電子機器。
【請求項２】
前記操作入力部は、複数設けられ、
前記音声判定部にて前記特定の音声が入力されたと判定された場合に、前記複数の操作入力部のうち、前記特定の音声が入力されるトリガとなった前記ユーザ操作を受け付けた操作入力部を特定する操作特定部を備え、
前記機能実行部は、
当該電子機器の動作を設定するためのパラメータを変更するパラメータ変更部を備え、
前記パラメータ変更部は、
前記操作特定部にて特定された前記操作入力部へのユーザ操作に応じて前記パラメータを変更する
ことを特徴とする請求項１に記載の電子機器。
【請求項３】
被写体像の画像データを生成する撮像部を備え、
前記パラメータは、
前記撮像部による撮像条件に関する撮影パラメータである
ことを特徴とする請求項２に記載の電子機器。
【請求項４】
画面を表示する表示部を備え、
前記機能実行部は、
前記パラメータの変更を促すパラメータ変更画面を前記表示部に表示させる表示制御部を備える
ことを特徴とする請求項２または請求項３に記載の電子機器。
【請求項５】
前記パラメータは、複数種類設けられ、
前記表示制御部は、
複数種類の前記パラメータのうち、変更対象とするパラメータの選択を促すパラメータ選択画面を前記表示部に表示させる
ことを特徴とする請求項４に記載の電子機器。
【請求項６】
被写体像の画像データを生成する撮像部と、
被写体像を結像する光学系を収容するレンズ部とを備え、
前記操作入力部は、
前記レンズ部に設けられ、前記光学系の光軸を中心として回転操作可能とするリング操作部材を備える
ことを特徴とする請求項１〜５のいずれか一つに記載の電子機器。
【請求項７】
画面を表示する表示部を備え、
前記操作入力部は、
前記表示部の表示画面上に設けられ、外部からの物体のタッチを検出し、検出したタッチに応じた信号を出力するタッチパネルを備える
ことを特徴とする請求項１〜６のいずれか一つに記載の電子機器。
【請求項８】
前記動作制御部は、
前記ユーザ操作が行われた後、一定期間、前記音声データ生成部を動作させる
ことを特徴とする請求項１〜７のいずれか一つに記載の電子機器。
【請求項９】
前記動作制御部は、
前記ユーザ操作が行われている間に前記音声データ生成部を動作させ、
前記音声判定部は、
前記音声データ生成部にて生成された複数の音声データを時系列に沿って繋いだ連結音声データを生成し、前記連結音声データを解析して前記特定の音声が入力されたか否かを判定する
ことを特徴とする請求項１〜７のいずれか一つに記載の電子機器。
【請求項１０】
操作入力部へのユーザ操作に応じて音声データ生成部を動作させ、前記音声データ生成部に音声データを生成させる動作制御ステップと、
前記音声データ生成部にて生成された音声データを解析し、特定の音声及び特定の機能が関連付けられた関連情報に含まれる前記特定の音声が入力されたか否かを判定する音声判定ステップと、
前記特定の音声が入力されたと判定した場合に、前記関連情報に基づいて、入力された前記特定の音声に関連付けられた機能を実行する機能実行ステップとを含む
ことを特徴とする電子機器の制御方法。
【請求項１１】
特定の操作入力部へのユーザ操作を判定する操作判定ステップと、
前記操作判定ステップで前記特定の操作入力部へのユーザ操作を判定した際に、音声データ生成部を動作させ、前記音声データ生成部に音声データを生成させる動作制御ステップと、
前記音声データ生成部にて生成された音声データを解析し、前記音声データに特定キーワードが含まれるか否かを判定する音声判定ステップと、
前記特定キーワードが含まれると判定した場合に、前記特定キーワードに関連付けられた機能を前記操作入力部で操作可能とする機能実行ステップとを含む
ことを特徴とする電子機器の制御方法。
【請求項１２】
請求項１０または請求項１１に記載の電子機器の制御方法を前記電子機器に実行させる
ことを特徴とする電子機器の制御プログラム。
【発明の詳細な説明】
【技術分野】
【０００１】
本発明は、撮像装置等の電子機器、当該電子機器の制御方法、及び当該電子機器の制御プログラムに関する。
【背景技術】
【０００２】
近年、電子機器において、画面を表示する表示部の表示画面上に設けたタッチパネルにより、ユーザ操作を受け付ける技術が知られている（例えば、特許文献１参照）。
このようなタッチパネルを電子機器に設ければ、表示部に表示させる画面の表示態様を工夫することで、機械的な操作ボタンを多数、設けることなく、種々のユーザ操作を受け付けることができる。
【先行技術文献】
【特許文献】
【０００３】
【特許文献１】特開２０１０−２３２９１１号公報
【発明の概要】
【発明が解決しようとする課題】
【０００４】
ところで、電子機器によっては、当該電子機器固有の用語を含んだ画面を表示部に表示させることを余儀なくされる場合が多い。
例えば、携帯して用いる機器の代表として例にするとデジタルカメラ等の撮像装置では、当該撮像装置やユーザが専門的、慣用的に用いる固有の用語として、絞り値、シャッタスピード、ＩＳＯ感度等がある。このような用語は、撮像装置に不慣れなユーザにとっては、難解なものである。
すなわち、ユーザは、所望の機能を電子機器に実行させたい場合（例えば、画像の露出状態等を変更したい場合等）に、表示部に表示された画面（上記のような用語を含む）を確認しても、どのような操作を行えばよいのかが分からない、という問題がある。
【０００５】
本発明は、上記に鑑みてなされたものであって、操作に不慣れなユーザの望む機能を容易に実行することができる電子機器、当該電子機器の制御方法、及び当該電子機器の制御プログラムを提供することを目的とする。
【課題を解決するための手段】
【０００６】
上述した課題を解決し、目的を達成するために、本発明に係る電子機器は、ユーザ操作を受け付ける操作入力部と、入力した音声に基づいて、音声データを生成する音声データ生成部と、前記ユーザ操作に応じて前記音声データ生成部を動作させ、前記音声データ生成部に音声データを生成させる動作制御部と、特定の音声及び特定の機能が関連付けられた関連情報を記録する関連情報記録部と、前記音声データ生成部にて生成された音声データを解析し、前記関連情報に含まれる前記特定の音声が入力されたか否かを判定する音声判定部と、前記音声判定部にて前記特定の音声が入力されたと判定された場合に、前記関連情報に基づいて、入力された前記特定の音声に関連付けられた機能を実行する機能実行部とを備えることを特徴とする。
【０００７】
また、本発明に係る電子機器は、上記発明において、前記操作入力部は、複数設けられ、前記音声判定部にて前記特定の音声が入力されたと判定された場合に、複数の前記操作入力部のうち、前記特定の音声が入力されるトリガとなった前記ユーザ操作を受け付けた操作入力部を特定する操作特定部を備え、前記機能実行部は、当該電子機器の動作を設定するためのパラメータを変更するパラメータ変更部を備え、前記パラメータ変更部は、前記操作特定部にて特定された前記操作入力部へのユーザ操作に応じて前記パラメータを変更することを特徴とする。
【０００８】
また、本発明に係る電子機器は、上記発明において、被写体像の画像データを生成する撮像部を備え、前記パラメータは、前記撮像部による撮像条件に関する撮影パラメータであることを特徴とする。
【０００９】
また、本発明に係る電子機器は、上記発明において、画面を表示する表示部を備え、前記機能実行部は、前記パラメータの変更を促すパラメータ変更画面を前記表示部に表示させる表示制御部を備えることを特徴とする。
【００１０】
また、本発明に係る電子機器は、上記発明において、前記パラメータは、複数種類設けられ、前記表示制御部は、複数種類の前記パラメータのうち、変更対象とするパラメータの選択を促すパラメータ選択画面を前記表示部に表示させることを特徴とする。
【００１１】
また、本発明に係る電子機器は、上記発明において、被写体像の画像データを生成する撮像部と、被写体像を結像する光学系を収容するレンズ部とを備え、前記操作入力部は、前記レンズ部に設けられ、前記光学系の光軸を中心として回転操作可能とするリング操作部材を備えることを特徴とする。
【００１２】
また、本発明に係る電子機器は、上記発明において、画面を表示する表示部を備え、前記操作入力部は、前記表示部の表示画面上に設けられ、外部からの物体のタッチを検出し、検出したタッチに応じた信号を出力するタッチパネルを備えることを特徴とする。
【００１３】
また、本発明に係る電子機器は、上記発明において、前記動作制御部は、前記ユーザ操作が行われた後、一定期間、前記音声データ生成部を動作させることを特徴とする。
【００１４】
また、本発明に係る電子機器は、上記発明において、前記動作制御部は、前記ユーザ操作が行われている間に前記音声データ生成部を動作させ、前記音声判定部は、前記音声データ生成部にて生成された複数の音声データを時系列に沿って繋いだ連結音声データを生成し、前記連結音声データを解析して前記特定の音声が入力されたか否かを判定することを特徴とする。
【００１５】
また、本発明に係る電子機器の制御方法は、操作入力部へのユーザ操作に応じて音声データ生成部を動作させ、前記音声データ生成部に音声データを生成させる動作制御ステップと、前記音声データ生成部にて生成された音声データを解析し、特定の音声及び特定の機能が関連付けられた関連情報に含まれる前記特定の音声が入力されたか否かを判定する音声判定ステップと、前記特定の音声が入力されたと判定した場合に、前記関連情報に基づいて、入力された前記特定の音声に関連付けられた機能を実行する機能実行ステップとを含むことを特徴とする。
【００１６】
また、本発明に係る電子機器の制御方法は、特定の操作入力部へのユーザ操作を判定する操作判定ステップと、前記操作判定ステップで前記特定の操作入力部へのユーザ操作を判定した際に、音声データ生成部を動作させ、前記音声データ生成部に音声データを生成させる動作制御ステップと、前記音声データ生成部にて生成された音声データを解析し、前記音声データに特定キーワードが含まれるか否かを判定する音声判定ステップと、前記特定キーワードが含まれると判定した場合に、前記特定キーワードに関連付けられた機能を前記操作入力部で操作可能とする機能実行ステップとを含むことを特徴とする。
【００１７】
また、本発明に係る電子機器の制御プログラムは、上述した電子機器の制御方法を前記電子機器に実行させることを特徴とする。
【発明の効果】
【００１８】
本発明は、下記の想定されるユーザの動作に着目し、電子機器の構成として、上述した操作入力部、音声データ生成部、動作制御部、関連情報記録部、音声判定部、及び機能実行部を採用している。
想定されるユーザの動作は、所望の機能を電子機器に実行させたいが、その操作の方法が分からない場合に、操作入力部を操作しながら不満等を口にする（不満等の言葉を発する）動作である。
すなわち、本発明に係る電子機器によれば、上記ユーザによる操作入力部の操作（ユーザ操作）に応じて音声データ生成部を動作させ、ユーザが発した不満等の言葉（音声）を取得し、当該音声に基づく音声データを生成することができる。また、本発明に係る電子機器によれば、当該音声データを用いて関連情報記録部に予め記録された関連情報に含まれる特定の音声が入力されたか否かを判定し、特定の音声が入力された場合に当該特定の音声に対応する機能を実行することができる。
したがって、本発明に係る電子機器によれば、操作に不慣れなユーザの望む機能を容易に実行することができる、という効果を奏する。
【００１９】
本発明に係る電子機器の制御方法は、上述した電子機器が行う制御方法であるため、上述した電子機器と同様の効果を奏する。
本発明に係る電子機器の制御プログラムは、上述した電子機器にて実行されるプログラムであるため、上述した電子機器と同様の効果を奏する。
【図面の簡単な説明】
【００２０】
【図１】図１は、本発明の実施の形態１に係る撮像装置のユーザに面する側の構成を示す斜視図である。
【図２】図２は、図１に示した撮像装置の構成を示すブロック図である。
【図３】図３は、図２に示したＦｌａｓｈメモリに記録された関連情報の一例を示す図である。
【図４】図４は、本発明の実施の形態１に係る撮像装置の動作を示すフローチャートである。
【図５】図５は、ユーザが表示部に表示されたライブビュー画像（被写体の撮影によって生成された画像データに対応したライブビュー画像）を確認しながら撮影する際の状況を模式的に示す図である。
【図６Ａ】図６Ａは、ユーザがライブビュー画像を確認しながらリング操作を行う状況を模式的に示す図である。
【図６Ｂ】図６Ｂは、ユーザがライブビュー画像を確認しながらタッチ操作を行う状況を模式的に示す図である。
【図７】図７は、図４に示した音声対応処理の概要を示すフローチャートである。
【図８Ａ】図８Ａは、図７に示したステップＳ１０６Ｆにおいて「ＭＦモード」に切り替えられた際に表示部に表示されるライブビュー画像の一例を示す図である。
【図８Ｂ】図８Ｂは、図７に示したステップＳ１０６Ｆにおいて「露出補正モード」に切り替えられた際に表示部に表示されるライブビュー画像の一例を示す図である。
【図８Ｃ】図８Ｃは、図７に示したステップＳ１０６Ｆにおいて「ズームモード」に切り替えられた際に表示部に表示されるライブビュー画像の一例を示す図である。
【図９】図９は、図７に示したステップＳ１０６Ｆにおいて「Ｈｅｌｐモード」に切り替えられた際に表示部に表示されるパラメータ選択画面の一例を示す図である。
【図１０Ａ】図１０Ａは、図７に示したステップＳ１０６Ｆにおいて「キーボードモード」に切り替えられた際に表示部に表示されるキーボード入力画面の一例を示す図である。
【図１０Ｂ】図１０Ｂは、図７に示したステップＳ１０６Ｆにおいて「キーボードモード」に切り替えられた際に表示部に表示されるキーボード入力画面の一例を示す図である。
【図１０Ｃ】図１０Ｃは、図７に示したステップＳ１０６Ｆにおいて「キーボードモード」に切り替えられた際に表示部に表示されるキーボード入力画面の一例を示す図である。
【図１１】図１１は、本発明の実施の形態２に係る音声対応処理の概要を示すフローチャートである。
【発明を実施するための形態】
【００２１】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２２】
（実施の形態１）
〔撮像装置の概略構成〕
図１は、本実施の形態１に係る撮像装置１のユーザに面する側（前面側）の構成を示す斜視図である。図２は、撮像装置１の構成を示すブロック図である。
撮像装置１は、図１または図２に示すように、本体部２と、本体部２に着脱可能なレンズ部３とを備える。
この撮像装置１は、本発明に係る電子機器として機能する。
【００２３】
〔本体部の構成〕
本体部２は、図２に示すように、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、音声入力部２１と、音声処理部２２と、表示部２３と、表示駆動部２４と、タッチパネル２５と、記録媒体２６と、メモリＩ／Ｆ２７と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２８と、Ｆｌａｓｈメモリ２９と、本体通信部３０と、バス３１と、制御部３２等を備える。
【００２４】
シャッタ１０は、撮像素子１２の状態を露光状態または遮光状態に設定する。
シャッタ駆動部１１は、ステッピングモータ等を用いて構成され、制御部３２から入力される指示信号に応じてシャッタ１０を駆動する。
撮像素子１２は、レンズ部３が集光した光を受光して電気信号に変換するＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を用いて構成される。
撮像素子駆動部１３は、制御部３２から入力される指示信号に応じて、所定のタイミングで撮像素子１２から画像データ（アナログ信号）を信号処理部１４に出力させる。この意味で、撮像素子駆動部１３は、電子シャッタとして機能する。
【００２５】
信号処理部１４は、撮像素子１２から入力されるアナログ信号に対して、アナログ処理を施してＡ／Ｄ変換部１５に出力する。
具体的には、信号処理部１４は、アナログ信号に対してノイズ低減処理及びゲインアップ処理等を行う。例えば、信号処理部１４は、アナログ信号に対して、リセットノイズ等を低減した上で波形整形を行い、さらに目的の明るさとなるようにゲインアップを行う。
Ａ／Ｄ変換部１５は、信号処理部１４から入力されるアナログ信号に対してＡ／Ｄ変換を行うことによってデジタルの画像データを生成し、バス３１を介してＳＤＲＡＭ２８に出力する。
以上説明した撮像素子１２、信号処理部１４、及びＡ／Ｄ変換部１５は、本発明に係る撮像部として機能する。
画像処理部１６は、制御部３２による制御の下、バス３１を介してＳＤＲＡＭ２８から画像データを取得し、取得した画像データに対して各種の画像処理を施す。この画像処理が施された画像データは、バス３１を介してＳＤＲＡＭ２８に出力される。
【００２６】
ＡＥ処理部１７は、バス３１を介してＳＤＲＡＭ２８に記憶された画像データを取得し、当該取得した画像データに基づいて、静止画撮影または動画撮影を行う際の露出条件を設定する。
具体的には、ＡＥ処理部１７は、画像データから輝度を算出し、算出した輝度に基づいて、例えば絞り値、露光時間、ＩＳＯ感度等を決定することで撮像装置１の自動露出（Ａｕｔｏ  Ｅｘｐｏｓｕｒｅ）を行う。
ＡＦ処理部１８は、バス３１を介してＳＤＲＡＭ２８に記憶された画像データを取得し、取得した画像データに基づいて、撮像装置１の自動焦点の調整を行う。例えば、ＡＦ処理部１８は、画像データから高周波成分の信号を取り出し、高周波成分の信号に対してＡＦ(Ａｕｔｏ  Ｆｏｃｕｓ)演算処理を行うことによって、撮像装置１の合焦評価を決定することで撮像装置１の自動焦点の調整を行う。
なお、撮像装置１の自動焦点の調整方法は、撮像素子で位相差信号を取得するものや、専用のＡＦ光学系等を搭載するタイプの方法であっても構わない。
【００２７】
画像圧縮展開部１９は、バス３１を介してＳＤＲＡＭ２８から画像データを取得し、取得した画像データに対して所定の形式に従って圧縮し、この圧縮した画像データをＳＤＲＡＭ２８に出力する。ここで、静止画の圧縮方式は、ＪＰＥＧ(Ｊｏｉｎｔ  Ｐｈｏｔｏｇｒａｐｈｉｃ  Ｅｘｐｅｒｔｓ  Ｇｒｏｕｐ)方式、ＴＩＦＦ（Ｔａｇｇｅｄ  Ｉｍａｇｅ  Ｆｉｌｅ  Ｆｏｒｍａｔ）方式等である。また、動画の圧縮方式は、ＭｏｔｉｏｎＪＰＥＧ方式、及びＭＰ４（Ｈ．２６４）方式等である。また、画像圧縮展開部１９は、バス３１及びメモリＩ／Ｆ２７を介して記録媒体２６に記録された画像データ（圧縮画像データ）を取得し、取得した画像データを展開（伸長）してＳＤＲＡＭ２８に出力する。
【００２８】
入力部２０は、図１に示すように、撮像装置１の電源状態をオン状態またはオフ状態に切り替える電源スイッチ２０１と、静止画撮影の指示を与える静止画レリーズ信号の入力を受け付けるレリーズスイッチ２０２と、撮像装置１のモード（撮影モード（静止画撮影モード及び動画撮影モード）や再生モード等）を切り替えるモード切替スイッチ２０３と、撮像装置１の各種設定を切り替える操作スイッチ２０４と、撮像装置１の各種設定を表示部２３に表示させるメニュースイッチ２０５と、記録媒体２６に記録された画像データに対応する画像を表示部２３に表示させる再生スイッチ２０６と、動画撮影の指示を与える動画レリーズ信号の入力を受け付ける動画スイッチ２０７等を備える。
【００２９】
レリーズスイッチ２０２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
操作スイッチ２０４は、メニュー画面等における選択設定を行う上下左右の各方向スイッチ２０４ａ〜２０４ｄと、メニュー画面等における各方向スイッチ２０４ａ〜２０４ｄによる操作を決定する決定スイッチ２０４ｅ（ＯＫスイッチ）とを備える（図１）。なお、操作スイッチ２０４は、ダイヤルスイッチ等を用いて構成してもよい。
【００３０】
音声入力部２１は、マイクロフォンを用いて構成され、音声を入力して電気信号に変換する。なお、図１にマイクロフォンを図示していないが、撮像装置１の天面に配置すれば、被写体と撮影者（ユーザ）の声を両方集音し易いが、それぞれの音声を分けて集音する場合は、撮像装置１の正面（レンズ部３側）や、背面（表示部２３側）に配置してもよい。特に、本発明の場合には、背面にマイクロフォンがあればノイズの影響を排して誤動作を防ぎ易い。
音声処理部２２は、制御部３２による制御の下、音声入力部２１にて変換された電気信号に標本化及び量子化を施してＡ／Ｄ変換を行うことにより音声データを生成する。生成された音声データは、バス３１を介してＳＤＲＡＭ２８に出力される。
上述した音声入力部２１及び音声処理部２２は、本発明に係る音声データ生成部として機能する。
【００３１】
表示部２３は、液晶または有機ＥＬ(Ｅｌｅｃｔｒｏ  Ｌｕｍｉｎｅｓｃｅｎｃｅ)等からなる表示パネルを用いて構成される。
表示駆動部２４は、制御部３２による制御の下、バス３１を介してＳＤＲＡＭ２８に記憶された画像データまたは記録媒体２６に記録された画像データを取得し、取得した画像データに対応する画像を表示部２３に表示させる。
ここで、画像の表示には、撮影直後の画像データを所定時間だけ表示するレックビュー表示、記録媒体２６に記録された画像データを再生する再生表示、及び撮像素子１２が連続的に生成する画像データに対応するライブビュー画像を時系列に沿って順次表示するライブビュー表示等が含まれる。
また、表示部２３は、撮像装置１の操作情報及び撮影に関する情報を適宜表示する。
【００３２】
タッチパネル２５は、図１に示すように、表示部２３の表示画面上に設けられ、外部からの物体のタッチを検出し、検出したタッチ位置に応じた位置信号を出力する。
ここで、一般的には、タッチパネルとして、抵抗膜方式、静電容量方式、光学方式等のタッチパネルがある。本実施の形態１では、タッチパネル２５としては、いずれの方式のタッチパネルであっても適用可能である。
このタッチパネル２５は、本発明に係る操作入力部として機能する。
以下では、タッチパネル２５をタッチするユーザ操作を「タッチ操作」と記載する。
【００３３】
記録媒体２６は、撮像装置１の外部から装着されるメモリカード等を用いて構成され、メモリＩ／Ｆ２７を介して撮像装置１に着脱自在に装着される。
この記録媒体２６には、その種類に応じた図示しない読み書き装置によって画像処理部１６や画像圧縮展開部１９が処理を施した画像データが書き込まれ、または読み書き装置によって記録媒体２６に記録された画像データが読み出される。また、記録媒体２６は、制御部３２による制御の下、メモリＩ／Ｆ２７及びバス３１を介してプログラム及び各種情報それぞれをＦｌａｓｈメモリ２９に出力してもよい。
【００３４】
ＳＤＲＡＭ２８は、揮発性メモリを用いて構成され、バス３１を介してＡ／Ｄ変換部１５から入力される画像データ、画像処理部１６から入力される画像データ及び撮像装置１の処理中の情報を一時的に記憶する。
例えば、ＳＤＲＡＭ２８は、信号処理部１４、Ａ／Ｄ変換部１５及びバス３１を介して、撮像素子１２が１フレーム毎に順次出力する画像データを一時的に記憶する。
Ｆｌａｓｈメモリ２９は、不揮発性メモリを用いて構成される。
このＦｌａｓｈメモリ２９は、撮像装置１を動作させるための各種プログラム（本発明に係る制御プログラムも含む）、プログラムの実行中に使用される各種データ、及び画像処理部１６による画像処理の動作に必要な各種パラメータ等を記録する。
【００３５】
図３は、Ｆｌａｓｈメモリ２９に記録された関連情報の一例を示す図である。
ここで、プログラムの実行中に使用される各種データとしては、図３に示す関連情報ＲＩが挙げられる。
関連情報ＲＩは、特定の音声（キーワード）と特定の機能（撮影パラメータを変更するための各モード）とが関連付けられた情報である。
具体的に、関連情報ＲＩは、「色（いろ）」、「暗（くら）」、「明（あか）る」、及び「見（み）えない」等の撮影される画像の露出状態に関する音声と、撮影パラメータ（露出条件）である露出値（絞り値及びシャッタスピード等）を変更するための「露出補正モード」とが関連付けられた情報を含む。
また、関連情報ＲＩは、「ピン」、「ぼけ」、「フォーカス」、及び「マニュアル」等の撮影される画像のピント状態に関する音声と、撮影パラメータであるピント位置及び焦点距離を変更するための「ＭＦ（マニュアルフォーカス）モード」とが関連付けられた情報を含む。
【００３６】
さらに、関連情報ＲＩは、「大（おお）き」、「小（ちい）さ」、「ズーム」、「テレ」、及び「ワイド」等の撮影範囲に関する音声と、撮影パラメータであるズーム倍率を変更するための「ズームモード」とが関連付けられた情報を含む。
また、関連情報ＲＩは、「ダメ」及び「どうしよう」等の操作方法が不明である旨を示す音声と、上述した露出補正モード、ＭＦモード、及びズームモードのいずれかのモードの選択を促す「Ｈｅｌｐモード」とが関連付けられた情報を含む。
さらに、関連情報ＲＩは、「ツイート」等のメッセージを書き込む旨を示す音声と、当該メッセージを書き込むための「キーボードモード」とが関連付けられた情報を含む。
さらに、関連情報ＲＩは、「違う」等の否定的な音声と、上述した露出補正モード、ＭＦモード、ズームモード、Ｈｅｌｐモード、またはキーボードモードを終了するとともに、撮影パラメータをデフォルト値に初期化するための「初期化モード」とが関連付けられた情報を含む。
以上のように、Ｆｌａｓｈメモリ２９は、本発明に係る関連情報記録部としても機能する。
【００３７】
本体通信部３０は、本体部２に装着されたレンズ部３との通信を行うための通信インターフェースである。
バス３１は、撮像装置１の各構成部位を接続する伝送路等を用いて構成され、撮像装置１の内部で発生した各種データを撮像装置１の各構成部位に転送する。
【００３８】
制御部３２は、ＣＰＵ(Ｃｅｎｔｒａｌ  Ｐｒｏｃｅｓｓｉｎｇ  Ｕｎｉｔ)等を用いて構成され、バス３１を介して、入力部２０からの指示信号やレリーズ信号、または、タッチパネル２５からの位置信号に応じて撮像装置１を構成する各部に対応する指示やデータの転送等を行って撮像装置１の動作を統括的に制御する。例えば、制御部３２は、セカンドレリーズ信号が入力された場合、撮像装置１における撮影動作を開始する制御を行う。ここで、撮像装置１における撮影動作とは、シャッタ駆動部１１及び撮像素子駆動部１３の駆動によって撮像素子１２が出力した画像データに対し、信号処理部１４、Ａ／Ｄ変換部１５及び画像処理部１６が所定の処理を施す動作をいう。このように処理が施された画像データは、制御部３２による制御の下、画像圧縮展開部１９で圧縮され、バス３１及びメモリＩ／Ｆ２７を介して記録媒体２６に記録される。また、制御部３２は、上述した撮影動作を開始する制御を行う際、「露出補正モード」、「ＭＦモード」、または、「ズームモード」において、撮影パラメータが変更された場合には、シャッタ駆動部１１、撮像素子駆動部１３、レンズ部３（後述する絞り駆動部３９、フォーカスレンズ駆動部３６、ズームレンズ駆動部３４）を駆動させ、当該変更された撮影パラメータで撮影動作を開始させる。
この制御部３２は、図２に示すように、動作制御部３２１と、音声判定部３２２と、操作特定部３２３と、機能実行部３２４等を備える。
【００３９】
動作制御部３２１は、タッチパネル２５や後述するレンズ操作部４１へのユーザ操作に応じて、音声処理部２２の動作を制御する。
音声判定部３２２は、音声処理部２２にて生成された音声データを解析し、Ｆｌａｓｈメモリ２９に記録された関連情報ＲＩに含まれる特定の音声が入力されたか否かを判定する。
操作特定部３２３は、音声判定部３２２にて特定の音声が入力されたと判定された場合に、タッチパネル２５及びレンズ操作部４１のうち、当該特定の音声が入力されるトリガとなったユーザ操作を受け付けた操作入力部を特定する。そして、操作特定部３２３は、特定した操作入力部を、撮影パラメータの変更操作を受け付ける変更用操作入力部として設定する。
【００４０】
機能実行部３２４は、音声判定部３２２にて特定の音声が入力されたと判定された場合に、Ｆｌａｓｈメモリ２９に記録された関連情報ＲＩに基づいて、当該特定の音声に関連付けられた機能を実行する。
この機能実行部３２４は、図２に示すように、表示制御部３２４Ａと、パラメータ変更部３２４Ｂ等を備える。
表示制御部３２４Ａは、レックビュー表示、再生表示、及びライブビュー表示を表示部２３に行わせる他、音声判定部３２２にて特定の音声が入力されたと判定された場合に、パラメータ変更画面やパラメータ選択画面（Ｈｅｌｐ画面）を表示部２３に表示させる。
パラメータ変更画面は、「露出補正モード」、「ＭＦモード」、及び「ズームモード」毎に設けられ、各モードに応じた撮影パラメータの変更を促す画面である。
パラメータ選択画面は、変更対象とする撮影パラメータの選択を促す画面である。
パラメータ変更部３２４Ｂは、各モードに応じたパラメータ変更画面が表示部２３に表示されている際に、操作特定部３２３にて設定された変更用操作入力部へのユーザ操作に応じて、当該モードに応じた撮影パラメータを変更するパラメータ変更処理を実行する。
【００４１】
以上の構成を有する本体部２に対して、音声入出力機能、フラッシュ機能、着脱自在な電子ビューファインダ（ＥＶＦ）、及びインターネットを介してパーソナルコンピュータ等の外部処理装置と双方向に通信可能な通信部等を具備させてもよい。
【００４２】
〔レンズ部の構成〕
レンズ部３は、図２に示すように、光学系３３と、ズームレンズ駆動部３４と、ズームレンズ位置検出部３５と、フォーカスレンズ駆動部３６と、フォーカスレンズ位置検出部３７と、絞り３８と、絞り駆動部３９と、絞り値検出部４０と、レンズ操作部４１と、レンズ記録部４２と、レンズ通信部４３と、レンズ制御部４４とを備える。
【００４３】
光学系３３は、所定の視野領域から光を集光し、この集光した光を撮像素子１２の撮像面に結像する。この光学系３３は、図２に示すように、ズームレンズ３３１と、フォーカスレンズ３３２とを備える。
ズームレンズ３３１は、一または複数のレンズを用いて構成され、光軸Ｌ（図２）に沿って移動することにより、光学系３３のズーム倍率を変更する。
フォーカスレンズ３３２は、一または複数のレンズを用いて構成され、光軸Ｌに沿って移動することにより、光学系３３のピント位置及び焦点距離を変更する。
【００４４】
ズームレンズ駆動部３４は、ステッピングモータやＤＣモータ等を用いて構成され、レンズ制御部４４による制御の下、ズームレンズ３３１を光軸Ｌに沿って移動させる。
ズームレンズ位置検出部３５は、フォトインタラプタ等を用いて構成され、ズームレンズ駆動部３４にて駆動されたズームレンズ３３１の位置を検出する。
具体的には、ズームレンズ位置検出部３５は、ズームレンズ駆動部３４に含まれる駆動用モータの回転量をパルス数に変換し、変換したパルス数に基づいて、無限遠を基準とする基準位置からのズームレンズ３３１の光軸Ｌ上における位置を検出する。
【００４５】
フォーカスレンズ駆動部３６は、ステッピングモータやＤＣモータ等を用いて構成され、レンズ制御部４２による制御の下、フォーカスレンズ３３２を光軸Ｌに沿って移動させる。
フォーカスレンズ位置検出部３７は、フォトインタラプタ等を用いて構成され、ズームレンズ位置検出部３５と同様の方法により、フォーカスレンズ駆動部３６にて駆動されたフォーカスレンズ３３２の光軸Ｌ上における位置を検出する。
【００４６】
絞り３８は、光学系３３が集光した光の入射量を制限することで露出の調整を行う。
絞り駆動部３９は、ステッピングモータ等を用いて構成され、レンズ制御部４４による制御の下、絞り３８を駆動することで撮像素子１２に入射する光の光量を調整する。
絞り値検出部４０は、絞り駆動部３９にて駆動された絞り３８の状態を検出することで絞り３８の絞り値を検出する。この絞り値検出部４０は、リニアエンコーダや可変抵抗素子等のポテンションメータ及びＡ／Ｄ変換回路等を用いて構成される。
【００４７】
レンズ操作部４１は、図１に示すように、レンズ部３のレンズ鏡筒の周囲に設けられ、光軸Ｌを中心として回転可能とするリング操作部材である。そして、レンズ操作部４１は、光学系３３内のズームレンズ３３１やフォーカスレンズ３３２の動作または撮像装置１の動作を指示する指示信号の入力を受け付ける。なお、レンズ操作部４１は、プッシュ式のスイッチ等であってもよい。
このレンズ操作部４１は、タッチパネル２５とともに、本発明に係る操作入力部として機能する。
以下では、レンズ操作部４１を回転させるユーザ操作を「リング操作」と記載する。
【００４８】
レンズ記録部４２は、光学系３３及び絞り３８の位置や動きを決定するための制御用プログラム、光学系３３の倍率、焦点距離、画角、収差及びＦ値（明るさ）等を記録する。
レンズ通信部４３は、レンズ部３が本体部２に装着されたときに、本体部２の本体通信部３０と通信を行うための通信インターフェースである。
【００４９】
レンズ制御部４４は、ＣＰＵ等を用いて構成され、本体通信部３０及びレンズ通信部４３を介して入力される制御部３２からの指示信号や駆動信号に応じてレンズ部３の動作を制御する。また、レンズ制御部４４は、本体通信部３０及びレンズ通信部４３を介してズームレンズ位置検出部３５が検出したズームレンズ３３１の位置、フォーカスレンズ位置検出部３７が検出したフォーカスレンズ３３２の位置、及び絞り値検出部４０が検出した絞り３８の絞り値を制御部３２に出力する。
【００５０】
〔撮像装置の動作〕
図４は、本実施の形態１に係る撮像装置１の動作を示すフローチャートである。
次に、上述した撮像装置１の動作（本発明に係る電子機器の制御方法）を図４に基づいて説明する。
ユーザによる電源スイッチ２０１の操作によって撮像装置１の電源がオンになる（ステップＳ１０１：Ｙｅｓ）と、制御部３２は、ユーザによるモード切替スイッチ２０３の操作によって撮像装置１が撮影モードに設定されているか否かを判断する（ステップＳ１０２）。
【００５１】
撮像装置１が撮影モードに設定されていると判断された場合（ステップＳ１０２：Ｙｅｓ）には、表示制御部３２４Ａは、表示部２３にライブビュー画像の表示を開始させる（ステップＳ１０３）。
具体的に、制御部３２は、撮像素子駆動部１３を駆動することによって、電子シャッタによる撮影を行う。また、画像処理部１６は、電子シャッタによる撮影によって撮像素子１２が生成し、ＳＤＲＡＭ２８に記憶された画像データに対して各種の画像処理を施す。そして、表示制御部３２４Ａは、画像処理部１６にて画像処理が施され、ＳＤＲＡＭ２８に記憶された画像データに対応するライブビュー画像を表示部２３に表示させる。
【００５２】
続いて、制御部３２は、ユーザによりリング操作が行われたか否かを判断する（ステップＳ１０４）。
制御部３２は、リング操作が行われていないと判断した場合（ステップＳ１０４：Ｎｏ）には、ユーザによりタッチ操作が行われたか否かを判断する（ステップＳ１０５）。
一方、制御部３２は、リング操作が行われたと判断した場合（ステップＳ１０４：Ｙｅｓ）には、ユーザにより発せられた音声に対応させて撮影パラメータを変更する音声対応処理を実行する（ステップＳ１０６）。また、この場合（ステップＳ１０４：Ｙｅｓ）には、操作特定部３２３は、リング操作が行われたことを示すリング操作フラグをオン状態とし、タッチ操作が行われたことを示すタッチ操作フラグをオフ状態とする。なお、これらリング操作フラグ及びタッチ操作フラグは、ＳＤＲＡＭ２８に記憶されている。
そして、制御部３２は、タッチ操作が行われたと判断した場合（ステップＳ１０５：Ｙｅｓ）にも、音声対応処理（ステップＳ１０６）を実行する。また、この場合（ステップＳ１０５：Ｙｅｓ）には、操作特定部３２３は、リング操作フラグをオフ状態とし、タッチ操作フラグをオン状態とする。
【００５３】
図５は、ユーザが表示部２３に表示されたライブビュー画像Ｗ１００（被写体（花）Ｓの撮影によって生成された画像データに対応したライブビュー画像）を確認しながら撮影する際の状況を模式的に示す図である。図６Ａは、ユーザがライブビュー画像Ｗ１００を確認しながらリング操作を行う状況を模式的に示す図である。図６Ｂは、ユーザがライブビュー画像Ｗ１００を確認しながらタッチ操作を行う状況を模式的に示す図である。
ユーザは、撮影操作（レリーズスイッチ２０２や動画スイッチ２０７への操作）を行う際、図５に示すように、撮像装置１をホールディングする。
具体的に、ユーザは、左手の手の平で本体部２を支持しながら、左手の指をレンズ部３に添える。また、ユーザは、レリーズスイッチ２０２等を操作可能に、右手を本体部２に添える。
以上のように、ユーザは、撮像装置１をホールディングした状態で、ライブビュー画像Ｗ１００を確認して撮影操作を行うこととなる。
【００５４】
ここで、ユーザは、ライブビュー画像Ｗ１００を確認した結果、画像の露出状態やピント状態、または撮影範囲を変更したいが、その操作の方法が分からない場合がある。
そして、このような場合において、図６Ａや図６Ｂに示すように、ユーザが矢印Ｒ１，Ｒ２（図６Ａ）の方向にリング操作を行ったりタッチパネル２５上で指をスライドさせるタッチ操作を行ったりしながら不満を口にする（不満等の言葉を発する）ことが想定される。
本実施の形態１は、上記のように想定されるユーザ操作を検出し（ステップＳ１０４，Ｓ１０５）、ステップＳ１０６において、ユーザにより発せられた言葉に対応させて、ユーザの望む露出状態やピント状態、または撮影範囲に変更する。
なお、音声対応処理（ステップＳ１０６）の詳細については後述する。
【００５５】
制御部３２は、タッチ操作が行われていないと判断した場合（ステップＳ１０５：Ｎｏ）、または音声対応処理（ステップＳ１０６）の後、レリーズスイッチ２０２からセカンドレリーズ信号が入力されたか否かを判断する（ステップＳ１０７）。
そして、制御部３２は、セカンドレリーズ信号が入力されたと判断した場合（ステップＳ１０７：Ｙｅｓ）には、静止画撮影を行い（ステップＳ１０８）、ステップＳ１０１へ戻る。
具体的に、ステップＳ１０８において、制御部３２は、シャッタ駆動部１１及び撮像素子駆動部１３を駆動することによって、メカシャッタによる撮影を行う。また、画像処理部１６は、メカシャッタによる撮影によって撮像素子１２が生成し、ＳＤＲＡＭ２８に記憶された画像データに対して各種の画像処理を施す。そして、画像圧縮展開部１９は、画像処理部１６にて画像処理が施され、ＳＤＲＡＭ２８に記憶された画像データを圧縮し、圧縮した画像データを記録媒体２６に記録する。
【００５６】
一方、制御部３２は、セカンドレリーズ信号が入力されていないと判断した場合（ステップＳ１０７：Ｎｏ）には、動画スイッチ２０７から動画レリーズ信号が入力されたか否かを判断する（ステップＳ１０９）。
そして、制御部３２は、動画レリーズ信号が入力されたと判断した場合（ステップＳ１０９：Ｙｅｓ）には、動画撮影を行い（ステップＳ１１０）、ステップＳ１０１へ戻る。
具体的に、ステップＳ１１０において、制御部３２は、撮像素子駆動部１３を駆動することによって、電子シャッタによる撮影を行う。また、画像処理部１６は、電子シャッタによる撮影によって撮像素子１２が生成し、ＳＤＲＡＭ２８に記憶された画像データに対して各種の画像処理を施す。そして、画像圧縮展開部１９は、画像処理部１６にて画像処理が施され、ＳＤＲＡＭ２８に記憶された画像データを圧縮し、圧縮した画像データを記録媒体２６に作成された動画ファイルに動画として記録する。
また、制御部３２は、動画レリーズ信号が入力されていないと判断した場合（ステップＳ１０９：Ｎｏ）には、ステップＳ１０１へ戻る。
そして、ステップＳ１０１において、制御部３２は、撮像装置１の電源がオフされたと判断した場合（ステップＳ１０１：Ｎｏ）には、本処理を終了する。
【００５７】
ステップＳ１０２に戻って、制御部３２は、撮像装置１が撮影モードに設定されていないと判断した場合（ステップＳ１０２：Ｎｏ）には、ユーザによるモード切替スイッチ２０３の操作によって撮像装置１が再生モードに設定されているか否かを判断する（ステップＳ１１１）。
撮像装置１が再生モードに設定されていないと判断された場合（ステップＳ１１１：Ｎｏ）には、撮像装置１は、ステップＳ１０１へ戻る。
一方、撮像装置１が再生モードに設定されていると判断された場合（ステップＳ１１１：Ｙｅｓ）には、表示制御部３２４Ａは、記録媒体２６に記録された画像データに対応する画像を表示部２３に表示させる（ステップＳ１１２）。
続いて、表示制御部３２４Ａは、ユーザによる入力部２０やタッチパネル２５への操作により、画像の変更を指示する指示信号が入力されたか否かを判断する（ステップＳ１１３）。
表示制御部３２４Ａは、画像の変更を指示する指示信号が入力されたと判断した場合（ステップＳ１１３：Ｙｅｓ）には、表示部２３に表示させる画像を変更する（ステップＳ１１４）。ステップＳ１１４の後、撮像装置１は、ステップＳ１１２へ戻る。
一方、画像の変更を指示する指示信号が入力されていないと判断された場合（ステップＳ１１３：Ｎｏ）には、撮像装置１は、ステップＳ１０１へ戻る。
【００５８】
〔音声対応処理〕
図７は、音声対応処理の概要を示すフローチャートである。
次に、図４に示した音声対応処理（ステップＳ１０６）を図７に基づいて説明する。
リング操作が行われたと判断された場合（ステップＳ１０４：Ｙｅｓ）、またはタッチ操作が行われたと判断された場合（ステップＳ１０５：Ｙｅｓ）には、動作制御部３２１は、音声処理部２２を動作させ、音声データの生成を開始（音声取得開始）させる（ステップＳ１０６Ａ）。
すなわち、図６Ａや図６Ｂに示すように、ユーザにより発せられた言葉は、音声入力部２１に入力されるとともに電気信号に変換され、音声処理部２２にて音声データとして生成されることとなる。
【００５９】
続いて、動作制御部３２１は、リング操作またはタッチ操作が行われてから一定時間が経過したか否かを常時、監視し（ステップＳ１０６Ｂ）、一定時間が経過した場合（ステップＳ１０６Ｂ：Ｙｅｓ）に、音声処理部２２の動作を停止（音声取得停止）させる（ステップＳ１０６Ｃ）。
ステップＳ１０６Ａ〜Ｓ１０６Ｃの間で生成された音声データは、バス３１を介してＳＤＲＡＭ２８に出力される。そして、ＳＤＲＡＭ２８に記憶されている音声データが最新の音声データに更新される。
以上説明したステップＳ１０６Ａ〜Ｓ１０６Ｃは、本発明に係る動作制御ステップに相当する。
【００６０】
続いて、音声判定部３２２は、ＳＤＲＡＭ２８から音声データを読み出し、当該音声データを解析する。そして、音声判定部３２２は、Ｆｌａｓｈメモリ２９に記録された関連情報ＲＩに含まれる特定の音声が音声データに含まれるか否か（特定の音声が入力されたか否か）を判定する（ステップＳ１０６Ｄ：音声判定ステップ）。
【００６１】
特定の音声が入力された場合（ステップＳ１０６Ｄ：Ｙｅｓ）には、操作特定部３２３は、タッチパネル２５及びレンズ操作部４１のうち、当該特定の音声が入力されるトリガとなったユーザ操作を受け付けた操作入力部を特定する。
具体的に、操作特定部３２３は、ＳＤＲＡＭ２８に記憶されたリング操作フラグ及びタッチ操作フラグを確認する。そして、操作特定部３２３は、オン状態となっている操作フラグに対応する操作入力部を、特定の音声が入力されるトリガとなったユーザ操作を受け付けた操作入力部として特定する。
そして、操作特定部３２３は、特定した操作入力部を、撮影パラメータの変更操作を受け付ける変更用操作入力部として設定する（ステップＳ１０６Ｅ）。
なお、操作特定部３２３は、入力された特定の音声が「ツイート」である場合には、リング操作フラグ及びタッチ操作フラグのオン状態またはオフ状態に関わらず、タッチパネル２５を変更用操作入力部として設定する。
そして、操作特定部３２３にて設定された情報は、バス３１を介してＳＤＲＡＭ２８に出力される。
続いて、機能実行部３２４は、Ｆｌａｓｈメモリ２９に記録された関連情報ＲＩに基づいて、入力された特定の音声に対応するモードに切り替える（ステップＳ１０６Ｆ）。そして、表示制御部３２４Ａは、切り替えられたモードに対応する以下に示す画像を表示部２３に表示させる。
【００６２】
図８Ａないし図８Ｃは、ステップＳ１０６Ｆにおいて、「ＭＦモード」、「露出補正モード」、「ズームモード」に切り替えられた際に表示部２３に表示されるライブビュー画像Ｗ２０１〜Ｗ２０３の一例をそれぞれ示す図である。
撮影される画像のピント状態に関する音声が入力され（ステップＳ１０６Ｄ：Ｙｅｓ）、「ＭＦモード」に切り替えられた場合（ステップＳ１０６Ｆ）には、表示制御部３２４Ａは、図８Ａに示すライブビュー画像Ｗ２０１を表示部２３に表示させる。
具体的に、ライブビュー画像Ｗ２０１は、ライブビュー画像Ｗ１００にタイトル画像ＴＬ１、方向画像ＡＲ，ＡＬ、及び説明画像ＤＲ１，ＤＬ１を重畳した画像である。
タイトル画像ＴＬ１は、切り替えたモードのタイトルを示す画像であり、図８Ａの例では、「ピント」の文字が表示されている。
方向画像ＡＲ，ＡＬは、レンズ操作部４１の回転方向（矢印Ｒ１，Ｒ２（図６Ａ））に対応し、状態を変更するための操作方向を示す画像である。
説明画像ＤＲ１，ＤＬ１は、方向画像ＡＲ，ＡＬに基づく操作方向へのリング操作やタッチ操作によって変更される状態を説明する画像であり、図８Ａの例では、「近距離」の文字、「遠距離」の文字がそれぞれ表示されている。
すなわち、ライブビュー画像Ｗ２０１は、撮影パラメータであるピント位置及び焦点距離の変更を促すパラメータ変更画面に相当する。
【００６３】
また、画像の露出状態に関する音声が入力され（ステップＳ１０６Ｄ：Ｙｅｓ）、「露出補正モード」に切り替えられた場合（ステップＳ１０６Ｆ）には、表示制御部３２４Ａは、図８Ｂに示すライブビュー画像Ｗ２０２を表示部２３に表示させる。
具体的に、ライブビュー画像Ｗ２０２は、ライブビュー画像Ｗ２０１と同様に、ライブビュー画像Ｗ１００にタイトル画像ＴＬ２、方向画像ＡＲ，ＡＬ、及び説明画像ＤＲ２，ＤＬ２を重畳した画像である。
図８Ｂの例では、タイトル画像ＴＬ２として、「ロシュツ」の文字が表示されている。また、説明画像ＤＲ２，ＤＬ２として、「明るい」の文字、「暗い」の文字がそれぞれ表示されている。
すなわち、ライブビュー画像Ｗ２０２は、撮影パラメータである露出値の変更を促すパラメータ変更画面に相当する。
【００６４】
さらに、撮影範囲に関する音声が入力され（ステップＳ１０６Ｄ：Ｙｅｓ）、「ズームモード」に切り替えられた場合（ステップＳ１０６Ｆ）には、表示制御部３２４Ａは、図８Ｃに示すライブビュー画像Ｗ２０３を表示部２３に表示させる。
具体的に、ライブビュー画像Ｗ２０３は、ライブビュー画像Ｗ２０１，Ｗ２０２と同様に、ライブビュー画像Ｗ１００にタイトル画像ＴＬ３、方向画像ＡＲ，ＡＬ、及び説明画像ＤＲ３，ＤＬ３を重畳した画像である。
図８Ｃの例では、タイトル画像ＴＬ３として、「ズーム」の文字が表示されている。また、説明画像ＤＲ３，ＤＬ３として、「大きい」の文字、「小さい」の文字がそれぞれ表示されている。
すなわち、ライブビュー画像Ｗ２０３は、撮影パラメータであるズーム倍率の変更を促すパラメータ変更画面に相当する。
【００６５】
そして、ユーザは、ライブビュー画像Ｗ２０１〜Ｗ２０３のいずれかを確認し、撮像装置１に実行させたい機能（ピント状態、露出状態、撮影範囲の変更）が正しいと判断すれば、その表示（方向画像ＡＲ，ＡＬ）の通りに操作入力部（レンズ操作部４１、タッチパネル２５）を操作して、当該機能を実行させればよい。このように、操作入力部への操作時に近いタイミングの音声（音声データ）のみを判定すればよいので、必要な時のみ音声データを解析すればよく、省エネ設計が可能であるし、他の音声に影響されたり、乱されたりすることなく、時間的にフィルタリング可能でユーザの不満を的確に判断することが可能である。
また、その操作入力部を操作すれば関連操作（所望の機能を実行させる操作）が可能なので、他の操作部材に持ち替える必要もなく、迅速な操作（しかも、ユーザが操作したいであろう操作）に移行でき、誤動作なくストレスない操作で機器使用を快適に楽しむことができる。
【００６６】
特に、本実施の形態のように、本発明に係る電子機器として撮像装置１を採用した場合では、撮影の決定的瞬間等を逃すことがない。また、緊急安全装置のようなものを操作する場合にも、こうした考えによるユーザインターフェースは有効である。すなわち、音声のみによる操作より信頼性が高く、誤動作に至ることが少ない。そして、本実施の形態では、上述したように文字表示（説明画像ＤＲ１〜ＤＲ３，ＤＬ１〜ＤＬ３等）を合わせて、さらに誤動作に至ることを防止している。
つまり、特定の操作入力部へのユーザ操作を判定する操作判定ステップ（ステップＳ１０４、Ｓ１０５（制御部３２が当該ステップを実行する操作判定部としての機能も有する））と、当該操作判定ステップで特定の操作入力部へのユーザ操作を判定した際に、音声データ生成部（音声入力部２１及び音声処理部２２）を動作させる動作制御ステップ（ステップＳ１０６Ａ〜Ｓ１０６Ｃ）と、当該動作制御ステップで生成した音声データを解析し、音声データに特定キーワードが含まれるか否かを判定する音声判定ステップ（ステップＳ１０６Ｄ）と、当該音声判定ステップで特定キーワードが含まれると判定した場合に、当該特定キーワードに関連付けられた機能を上記操作入力部で操作可能とする機能実行ステップ（ステップＳ１０６Ｆ，Ｓ１０６Ｈ）とを実行することによって、電子機器を確実に迅速に、しかも省エネも考慮して制御する電子機器の制御方法を提案することができる。
【００６７】
図９は、ステップＳ１０６Ｆにおいて「Ｈｅｌｐモード」に切り替えられた際に表示部２３に表示されるパラメータ選択画面Ｗ２０４の一例を示す図である。
操作方法が不明である旨を示す音声が入力され（ステップＳ１０６Ｄ：Ｙｅｓ）、「Ｈｅｌｐモード」に切り替えられた場合（ステップＳ１０６Ｆ）には、表示制御部３２４Ａは、図９に示すパラメータ選択画面Ｗ２０４を表示部２３に表示させる。
具体的に、パラメータ選択画面Ｗ２０４は、タイトル画像ＴＬ４、方向画像Ａｒ１〜Ａｒ３、及び説明画像Ｄ１〜Ｄ３が画面内に配置された画像である。
図９の例では、タイトル画像ＴＬ４として、「何か用ですか？」の文字が表示されている。
方向画像Ａｒ１〜Ａｒ３は、レンズ操作部４１の回転方向に対応し、「ＭＦモード」、「露出補正モード」、及び「ズームモード」のいずれかのモードを選択するための操作方向を示す画像である。
説明画像Ｄ１〜Ｄ３は、方向画像Ａｒ１〜Ａｒ３に基づく操作方向へのリング操作やタッチ操作によって選択されるモードを説明する画像である。図９の例では、説明画像Ｄ１〜Ｄ３として、「ＭＦモード」に対応した「ピントぼけてる」の文字、「露出補正モード」に対応した「明るさ変えたい」の文字、「ズームモード」に対応した「大きさ変えたい」の文字がそれぞれ表示されている。
なお、図９では、説明画像Ｄ１が選択され、表示制御部３２４Ａが当該説明画像Ｄ１をハイライト表示させている状態を示している（図９では斜線で表現）。
【００６８】
図１０Ａないし図１０Ｃは、ステップＳ１０６Ｆにおいて「キーボードモード」に切り替えられた際に表示部２３に表示されるキーボード入力画面Ｗ２０５の一例を示す図である。
メッセージを書き込む旨を示す音声が入力され（ステップＳ１０６Ｄ：Ｙｅｓ）、「キーボードモード」に切り替えられた場合（ステップＳ１０６Ｆ）には、表示制御部３２４Ａは、図１０Ａないし図１０Ｃに示すキーボード入力画面Ｗ２０５を表示部２３に表示させる。
具体的に、キーボード入力画面Ｗ２０５は、ライブビュー画像Ｗ１０１と、ローマ字入力アイコンＡ１と、かな入力アイコンＡ２と、決定アイコンＡ３と、キーボード入力アイコンＫＢ（図１０Ｂ及び図１０Ｃ）と、メッセージ表示領域Ｍ（図１０Ｃ）とが画面内に配置された画像である。
【００６９】
ライブビュー画像Ｗ１０１は、ライブビュー画像Ｗ１００を縮小した画像である。
ローマ字入力アイコンＡ１は、ローマ字入力用のキーボード入力アイコンＫＢをキーボード入力画面Ｗ２０５内に表示させる指示信号の入力を受け付けるアイコンである。
かな入力アイコンＡ２は、かなで入力するためのかな入力用のキーボード入力アイコン（図示略）をキーボード入力画面Ｗ２０５内に表示させる指示信号の入力を受け付けるアイコンである。
メッセージ表示領域Ｍは、ユーザによるキーボード入力アイコンＫＢへのタッチ操作によって入力されたメッセージを表示する領域である。
【００７０】
キーボード入力アイコンＫＢは、文字の入力を指示する指示信号の入力を受け付けるアイコンであり、ローマ字入力用のキーボード入力アイコンＫＢ、及びかな入力用のキーボード入力アイコン（図示略）の２種類が設けられている。
なお、図１０Ｂ及び図１０Ｃに示すキーボード入力画面Ｗ２０５では、ローマ字入力用のキーボード入力アイコンＫＢが表示されている。
ローマ字入力用のキーボード入力アイコンＫＢは、ローマ字でのメッセージ入力を可能とするアイコンであり、ローマ字入力アイコンＡ１が選択された場合に表示される。
かな入力用のキーボード入力アイコン（図示略）は、かなでのメッセージ入力を可能とするアイコンであり、かな入力アイコンＡ２が選択された場合に表示される。
決定アイコンＡ３は、入力されたメッセージを決定する指示信号の入力を受け付けるアイコンである。
【００７１】
以上のように、入力された特定の音声に対応したモードに切り替えられるとともに当該モードに対応した画像Ｗ２０１〜Ｗ２０５が表示部２３に表示された（ステップＳ１０６Ｆ）の後、撮像装置１は、図４に示したメインルーチンに戻る。
【００７２】
ステップＳ１０６Ｄに戻って、特定の音声が入力されていない場合（ステップＳ１０６Ｄ：Ｎｏ）には、パラメータ変更部３２４Ｂは、操作特定部３２３にて変更用操作入力部が設定されたか否か（操作特定部３２３にて設定された情報がＳＤＲＡＭ２８に記憶されているか否か）を判断する（ステップＳ１０６Ｇ）。
ステップＳ１０６Ｅが実行されておらず、操作特定部３２３にて変更用操作入力部が設定されていない場合（ステップＳ１０６Ｇ：Ｎｏ）には、撮像装置１は、図４に示したメインルーチンに戻る。
一方、パラメータ変更部３２４Ｂは、操作特定部３２３にて変更用操作入力部が設定されていたと判断した場合（ステップＳ１０６Ｇ：Ｙｅｓ）には、パラメータ変更処理を実行する（ステップＳ１０６Ｈ）。この後、撮像装置１は、図４に示したメインルーチンに戻る。
すなわち、パラメータ変更処理（ステップＳ１０６Ｈ）は、音声対応処理（ステップＳ１０６）により入力された特定の音声に対応するモードに切り替えられた後、図４に示したメインルーチンに戻り、ユーザによりリング操作が行われたり（ステップＳ１０４：Ｙｅｓ）、タッチ操作が行われたり（ステップＳ１０５：Ｙｅｓ）することで、再度、音声対応処理（ステップＳ１０６）に移行した場合に実行されるものである。
【００７３】
〔パラメータ変更処理〕
以下、パラメータ変更処理（ステップＳ１０６Ｈ）について、「ＭＦモード」、「露出補正モード」、「ズームモード」、「Ｈｅｌｐモード」、「キーボードモード」、及び「初期化モード」毎に、ユーザによるリング操作やタッチ操作に関連付けて説明する。
【００７４】
〔ＭＦモードでのパラメータ変更処理〕
ユーザは、撮影操作を行う前に、ライブビュー画像Ｗ１００（図５）を確認する。ここで、ユーザは、画像のピント状態を変更したいが、その操作の方法が分からないため、左手でリング操作を行いながら、画像のピント状態に関する言葉（例えば、「ぼけてる」等）を発する場合がある。
このような場合には、特定の音声が入力された（ステップＳ１０６Ｄ：Ｙｅｓ）ため、レンズ操作部４１が変更用操作入力部として設定される（ステップＳ１０６Ｅ）。また、「ＭＦモード」に切り替えられるとともに、図８Ａに示すライブビュー画像Ｗ２０１が表示部２３に表示される（ステップＳ１０６Ｆ）。
【００７５】
この後、ユーザは、例えば、近距離でピントを合わせたい場合には、図８Ａに示すライブビュー画像Ｗ２０１から、「近距離」の文字が表示された説明画像ＤＲ１を見付ける。そして、ユーザは、これまで行っていたリング操作を、説明画像ＤＲ１を指す方向画像ＡＲに基づく操作方向（矢印Ｒ１（図６Ａ）の方向）に行う。
上述したように、レンズ操作部４１は、変更用操作入力部として設定されている。このため、パラメータ変更部３２４Ｂは、パラメータ変更処理（ステップＳ１０６Ｈ）において、当該リング操作に応じて、撮影パラメータ（ピント位置及び焦点距離）を近距離の値に変更する。
【００７６】
なお、遠距離でピントを合わせたい場合には、ユーザは、方向画像ＡＬに基づく操作方向（矢印Ｒ２（図６Ａ）の方向）にリング操作を行えば、パラメータ変更処理（ステップＳ１０６Ｈ）が実行されるため、撮影パラメータ（ピント位置及び焦点距離）を遠距離の値に変更することができる。
そして、撮影パラメータの変更に応じてライブビュー画像Ｗ１００のピント状態も変更されるため、ユーザは、当該ライブビュー画像Ｗ１００を含むライブビュー画像Ｗ２０１を確認しながら、所望のピント状態となるまで、上記のリング操作を行うこととなる。
【００７７】
なお、ユーザがタッチパネル２５上で指をスライドさせるタッチ操作を行いながら画像のピント状態に関する言葉を発した場合には、ステップＳ１０６Ｅにおいて、タッチパネル２５が変更用操作入力部として設定される。
この場合には、ユーザは、タッチパネル２５上で方向画像ＡＲや方向画像ＡＬに沿って指をスライドさせるタッチ操作を行うことで、パラメータ変更処理（ステップＳ１０６Ｈ）が実行されるため、撮影パラメータ（ピント位置及び焦点距離）を変更することができる。
すなわち、パラメータ変更部３２４Ｂは、変更用操作入力部へのユーザ操作に応じて撮影パラメータを変更するものであり、その他の操作入力部へのユーザ操作では撮影パラメータを変更しない。
【００７８】
〔露出補正モードでのパラメータ変更処理〕
ユーザは、撮影操作を行う前に、ライブビュー画像Ｗ１００（図５）を確認する。ここで、ユーザは、画像の露出状態を変更したいが、その操作の方法が分からないため、左手でリング操作を行いながら、画像の露出状態に関する言葉（例えば、「明るくしたい」等）を発する場合がある。
このような場合には、特定の音声が入力された（ステップＳ１０６Ｄ：Ｙｅｓ）ため、レンズ操作部４１が変更用操作入力部として設定される（ステップＳ１０６Ｅ）。また、「露出補正モード」に切り替えられるとともに、図８Ｂに示すライブビュー画像Ｗ２０２が表示部２３に表示される（ステップＳ１０６Ｆ）。
【００７９】
この後、ユーザは、例えば、画像を明るくしたい場合には、図８Ｂに示すライブビュー画像Ｗ２０２から、「明るい」の文字が表示された説明画像ＤＲ２を見付ける。そして、ユーザは、これまで行っていたリング操作を、説明画像ＤＲ２を指す方向画像ＡＲに基づく操作方向（矢印Ｒ１（図６Ａ）の方向）に行う。
このリング操作に応じて、パラメータ変更部３２４Ｂは、パラメータ変更処理（ステップＳ１０６Ｈ）において、画像を明るくする値に撮影パラメータ（露出値）を変更する。
なお、画像を暗くしたい場合には、ユーザは、方向画像ＡＬに基づく操作方向（矢印Ｒ２（図６Ａ）の方向）にリング操作を行えば、パラメータ変更処理（ステップＳ１０６Ｈ）が実行されるため、画像を暗くする値に撮影パラメータ（露出値）を変更することができる。
【００８０】
なお、ユーザがタッチパネル２５上で指をスライドさせるタッチ操作を行いながら画像の露出状態に関する言葉を発した場合には、ステップＳ１０６Ｅにおいて、タッチパネル２５が変更用操作入力部として設定される。
この場合には、ユーザは、タッチパネル２５上で方向画像ＡＲや方向画像ＡＬに沿って指をスライドさせるタッチ操作を行うことで、パラメータ変更処理（ステップＳ１０６Ｈ）が実行されるため、撮影パラメータ（露出値）を変更することができる。
【００８１】
〔ズームモードでのパラメータ変更処理〕
ユーザは、撮影操作を行う前に、ライブビュー画像Ｗ１００（図５）を確認する。ここで、ユーザは、撮影範囲を変更したいが、その操作の方法が分からないため、左手でリング操作を行いながら、撮影範囲に関する言葉（例えば、「大きくしたい」等）を発する場合がある。
このような場合には、特定の音声が入力された（ステップＳ１０６Ｄ：Ｙｅｓ）ため、レンズ操作部４１が変更用操作入力部として設定される（ステップＳ１０６Ｅ）。また、「ズームモード」に切り替えられるとともに、図８Ｃに示すライブビュー画像Ｗ２０３が表示部２３に表示される（ステップＳ１０６Ｆ）。
【００８２】
この後、ユーザは、例えば、被写体Ｓを大きく撮影したい場合には、図８Ｃに示すライブビュー画像Ｗ２０３から、「大きい」の文字が表示された説明画像ＤＲ３を見付ける。そして、ユーザは、これまで行っていたリング操作を、説明画像ＤＲ３を指す方向画像ＡＲに基づく操作方向（矢印Ｒ１（図６Ａ）の方向）に行う。
このリング操作に応じて、パラメータ変更部３２４Ｂは、パラメータ変更処理（ステップＳ１０６Ｈ）において、撮影パラメータ（ズーム倍率）を大きい値に変更する。
なお、被写体Ｓを小さく撮影したい場合には、ユーザは、方向画像ＡＬに基づく操作方向（矢印Ｒ２（図６Ａ）の方向）にリング操作を行えば、パラメータ変更処理（ステップＳ１０６Ｈ）が実行されるため、撮影パラメータ（ズーム倍率）を小さい値に変更することができる。
【００８３】
なお、ユーザがタッチパネル２５上で指をスライドさせるタッチ操作を行いながら撮影範囲に関する言葉を発した場合には、ステップＳ１０６Ｅにおいて、タッチパネル２５が変更用操作入力部として設定される。
この場合には、ユーザは、タッチパネル２５上で方向画像ＡＲや方向画像ＡＬに沿って指をスライドさせるタッチ操作を行うことで、パラメータ変更処理（ステップＳ１０６Ｈ）が実行されるため、撮影パラメータ（ズーム倍率）を変更することができる。
【００８４】
〔Ｈｅｌｐモードでのパラメータ変更処理〕
ユーザは、撮影操作を行う前に、ライブビュー画像Ｗ１００（図５）を確認する。ここで、ユーザは、画像のピント状態や露出状態、または撮影範囲を変更したいが、その操作の方法が分からないため、左手でリング操作を行いながら、操作方法が不明である旨を示す言葉（例えば、「どうしよう」等）を発する場合がある。
このような場合には、音声対応処理（ステップＳ１０６）において、特定の音声が入力された（ステップＳ１０６Ｄ：Ｙｅｓ）ため、レンズ操作部４１が変更用操作入力部として設定される（ステップＳ１０６Ｅ）。また、「Ｈｅｌｐモード」に切り替えられるとともに図９に示すパラメータ選択画面Ｗ２０４が表示部２３に表示される（ステップＳ１０６Ｆ）。
【００８５】
この後、ユーザは、例えば、画像の露出状態を変更したい場合には、図９に示すパラメータ選択画面Ｗ２０４から、「明るさ変えたい」の文字が表示された説明画像Ｄ２を見付ける。そして、ユーザは、これまで行っていたリング操作を、現状で選択されている説明画像Ｄ１から説明画像Ｄ２に向かう方向画像Ａｒ３に基づく操作方向（矢印Ｒ２（図６Ａ）の方向）に行う。
上述したように、レンズ操作部４１は、変更用操作入力部として設定されている。このため、機能実行部３２４は、当該リング操作に応じて、説明画像Ｄ２を選択し、説明画像Ｄ２をハイライト表示させる。
【００８６】
そして、機能実行部３２４は、説明画像Ｄ２が選択されてから一定時間が経過した後、選択された説明画像Ｄ２に対応する「露出補正モード」に切り替える。
なお、画像のピント状態または撮影範囲を変更したい場合には、ユーザは、リング操作により説明画像Ｄ１または説明画像Ｄ３を選択すれば、上述した機能実行部３２４による処理が実行されるため、「ＭＦモード」または「ズームモード」に切り替えることができる。
ここで、「ＭＦモード」、「露出補正モード」、または「ズームモード」に切り替えられた後のパラメータ変更処理は、上述した「ＭＦモードでのパラメータ変更処理」、「露出補正モードでのパラメータ変更処理」、または「ズームモードでのパラメータ変更処理」と同様である。
【００８７】
なお、ユーザがタッチパネル２５上で指をスライドさせるタッチ操作を行いながら操作方法が不明である旨を示す言葉を発した場合には、ステップＳ１０６Ｅにおいて、タッチパネル２５が変更用操作入力部として設定される。
この場合には、ユーザは、タッチパネル２５上で方向画像Ａｒ１〜Ａｒ３のいずれかに沿って指をスライドさせるタッチ操作を行うことで、上述した機能実行部３２４による処理が実行されるため、説明画像Ｄ１〜Ｄ３のいずれかを選択することができる。
すなわち、機能実行部３２４は、変更用操作入力部へのユーザ操作に応じて説明画像Ｄ１〜Ｄ３のいずれかを選択するものであり、その他の操作入力部へのユーザ操作では説明画像Ｄ１〜Ｄ３のいずれかを選択しない。
【００８８】
〔キーボードモードでのパラメータ変更処理〕
ユーザは、撮影操作を行う前に、ライブビュー画像Ｗ１００（図５）を確認する。ここで、ユーザは、画像のピント状態や露出状態、または撮影範囲を変更したいが、その操作の方法が分からないため、リング操作やタッチ操作を行いながら、メッセージを書き込む旨を示す言葉（例えば、「ツイート」等）を発する場合がある。
このような場合には、特定の音声が入力された（ステップＳ１０６Ｄ：Ｙｅｓ）ため、タッチパネル２５が変更用操作入力部として設定される（ステップＳ１０６Ｅ）。また、「キーボードモード」に切り替えられるとともに、図１０Ａに示すキーボード入力画面Ｗ２０５が表示部２３に表示される（ステップＳ１０６Ｆ）。
【００８９】
この後、ユーザは、例えば、画像のピント状態を変更したい場合には、キーボード入力画面Ｗ２０５にて画像のピント状態に関するメッセージ（例えば、「ぼけてる」等）を入力する。
具体的に、ユーザは、「ぼけてる」というメッセージをローマ字（ＢＯＫＥＴＥＲＵ）で入力する場合には、以下のようなタッチ操作を行う。
先ず、ユーザは、タッチ操作によりローマ字入力アイコンＡ１を選択する。
このタッチ操作に応じて、表示制御部３２４Ａは、図１０Ｂに示すように、キーボード入力画面Ｗ２０５内にローマ字入力用のキーボード入力アイコンＫＢを表示させる。
次に、ユーザは、「ぼ（ＢＯ）」を入力するために、キーボード入力アイコンＫＢ内の「２．ＡＢＣ」の表示領域を３回、タッチ操作するとともに、「６．ＭＮＯ」の表示領域を４回、タッチ操作する。
【００９０】
次に、ユーザは、「け（ＫＥ）」を入力するために、「５．ＪＫＬ」の表示領域を３回、タッチ操作するとともに、「３．ＤＥＦ」の表示領域を３回、タッチ操作する。
次に、ユーザは、「て（ＴＥ）」を入力するために、「８．ＴＵＶ」の表示領域を２回、タッチ操作するとともに、「３．ＤＥＦ」の表示領域を３回、タッチ操作する。
最後に、ユーザは、「る（ＲＵ）」を入力するために、「７．ＰＱＲＳ」の表示領域を４回、タッチ操作するとともに、「８．ＴＵＶ」の表示領域を３回、タッチ操作する。
以上のタッチ操作に応じて、表示制御部３２４Ａは、メッセージ表示領域Ｍに「ぼけてる」の文字を表示させる（図１０Ｃ）。
【００９１】
そして、ユーザは、メッセージ表示領域Ｍのメッセージを確認し、入力内容が正しいと判断した場合には、タッチ操作により決定アイコンＡ３を選択する。
このタッチ操作に応じて、機能実行部３２４は、特定のメッセージ（関連情報ＲＩに含まれる特定の音声に対応したメッセージ）が入力されたか否かを判断する。上記の場合には、「ぼけてる」のメッセージは、特定のメッセージであるため、機能実行部３２４は、当該特定のメッセージに対応する「ＭＦモード」に切り替える。
なお、ユーザは、画像の露出状態に関するメッセージ（例えば、「明るくしたい」等）、撮影範囲に関するメッセージ（例えば、「大きくしたい」等）、または、操作方法が不明である旨のメッセージ（例えば、「どうしよう」等）を入力すれば、上述した機能実行部３２４による処理が実行されるため、「露出補正モード」、「ズームモード」、または「Ｈｅｌｐモード」に切り替えることができる。
ここで、「ＭＦモード」、「露出補正モード」、「ズームモード」、または「Ｈｅｌｐモード」に切り替えられた後のパラメータ変更処理は、上述した「ＭＦモードでのパラメータ変更処理」、「露出補正モードでのパラメータ変更処理」、「ズームモードでのパラメータ変更処理」、または「Ｈｅｌｐモードでのパラメータ変更処理」と同様である。
【００９２】
〔初期化モードでのパラメータ変更処理〕
ユーザは、「ＭＦモード」、「露出補正モード」、または「ズームモード」において、撮影パラメータを変更している際に、画像が所望の状態に変更されないため、リング操作やタッチ操作を行いながら、否定的な言葉（例えば、「違う」等）を発する場合がある。
このような場合には、特定の音声が入力された（ステップＳ１０６Ｄ：Ｙｅｓ）ため、これまで操作されていたレンズ操作部４１またはタッチパネル２５が変更用操作入力部として設定される（ステップＳ１０６Ｅ）。また、「初期化モード」に切り替えられる（ステップＳ１０６Ｆ）。
そして、パラメータ変更部３２４Ｂは、ユーザがこれまで行っていたリング操作またはタッチ操作を再度、行った場合に、パラメータ変更処理（ステップＳ１０６Ｈ）において、「ＭＦモード」、「露出補正モード」、または「ズームモード」で変更された撮影パラメータをデフォルト値に初期化する。この後、機能実行部３２４は、「ＭＦモード」、「露出補正モード」、または「ズームモード」を終了する。
なお、ユーザが「Ｈｅｌｐモード」または「キーボードモード」においてリング操作やタッチ操作を行いながら、否定的な言葉を発した場合で、かつ、これまで行っていたリング操作またはタッチ操作を再度、行った場合も、上記同様である。すなわち、パラメータ変更処理（ステップＳ１０６Ｈ）により、撮影パラメータがデフォルト値に初期化されるとともに、「Ｈｅｌｐモード」または「キーボードモード」が終了する。
以上説明したステップＳ１０６Ｆ，Ｓ１０６Ｈは、本発明に係る機能実行ステップに相当する。
【００９３】
以上説明した本実施の形態１に係る撮像装置１によれば、リング操作やタッチ操作に応じて音声処理部２２を動作させ、ユーザが発した不満等の言葉（音声）を取得し、当該音声に基づく音声データを生成することができる。また、本実施の形態１に係る撮像装置１によれば、当該音声データを用いてＦｌａｓｈメモリ２９に予め記録された関連情報ＲＩに含まれる特定の音声が入力されたか否かを判定し、特定の音声が入力された場合に当該特定の音声に対応する機能（「ＭＦモード」等の各モードで当該モードに応じた撮影パラメータを変更する機能）を実行することができる。
したがって、本実施の形態１に係る撮像装置１によれば、操作に不慣れなユーザの望む機能を容易に実行することができる、という効果を奏する。
【００９４】
また、本実施の形態１では、音声処理部２２を動作させるトリガとなる操作入力部として、複数の操作入力部（レンズ操作部４１及びタッチパネル２５）を採用している。
したがって、本実施の形態１に係る撮像装置１によれば、操作の方法が分からない場合にユーザにより操作される操作入力部を複数、設けたことにより、ユーザが発した言葉をより確実に取得し、ユーザの望む機能をより確実に実行することができる。
【００９５】
さらに、本実施の形態１では、撮像装置１は、レンズ操作部４１及びタッチパネル２５のうち、当該特定の音声が入力されるトリガとなったユーザ操作を受け付けた操作入力部を特定し、当該特定した操作入力部を変更用操作入力部として設定する。そして、撮像装置１は、「ＭＦモード」、「露出補正モード」、「ズームモード」、「Ｈｅｌｐモード」、及び「初期化モード」において、ユーザにより変更用操作入力部が操作された場合に、撮影パラメータを変更する。
したがって、本実施の形態１に係る撮像装置１によれば、ユーザは、撮像装置１をホールディングした左手を持ち替えることなく、撮影パラメータを変更することができる。
【００９６】
さらに、本実施の形態１では、撮像装置１は、「ダメ」及び「どうしよう」等の操作方法が不明である旨を示す音声を入力した場合に、「Ｈｅｌｐモード」に切り替えて、パラメータ選択画面Ｗ２０４を表示部２３に表示する。
したがって、本実施の形態１に係る撮像装置１によれば、ユーザは、画像の露出状態やピント状態、または撮影範囲に関する用語が分からない場合であっても、操作方法が不明である旨を示す言葉を発することで、パラメータ選択画面Ｗ２０４が表示されるので、画像の露出状態やピント状態、または撮影範囲を変更することができる。
【００９７】
また、本実施の形態１では、撮像装置１は、リング操作またはタッチ操作が行われてから一定時間、音声処理部２２を動作させ、ユーザが発する言葉（音声）を取得する。
したがって、本実施の形態１に係る撮像装置１によれば、ユーザが言葉を発している最中にリング操作またはタッチ操作を止めた場合であっても、ユーザが発した言葉を略全て取得することを可能とし、ユーザの望む機能をより確実に実行することができる。
【００９８】
（実施の形態２）
次に、本発明の実施の形態２について説明する。
以下の説明では、上述した実施の形態１と同様の構成及びステップには同一符号を付し、その詳細な説明は省略または簡略化する。
上述した実施の形態１では、音声対応処理（ステップＳ１０６）において、動作制御部３２１は、リング操作またはタッチ操作が行われてから一定時間、音声処理部２２を動作させていた。そして、音声判定部３２２は、上記一定時間で入力された音声に基づき生成された音声データを用いて、特定の音声が入力されたか否かを判定していた。
【００９９】
これに対して、本実施の形態２に係る音声対応処理では、リング操作またはタッチ操作が継続している間だけ、音声処理部２２を動作させるものである。そして、本実施の形態２に係る音声対応処理では、リング操作またはタッチ操作が間欠的に複数回、行われた結果、音声処理部２２にて生成された複数の音声データを時系列に沿って繋いだ連結音声データを生成し、当該連結音声データを用いて、特定の音声が入力されたか否かを判定するものである。
本実施の形態２に係る撮像装置の構成は、上述した実施の形態１と同様の構成である。
以下では、本実施の形態２に係る音声対応処理（図４に示したステップＳ１０６）のみを説明する。
【０１００】
〔音声対応処理〕
図１１は、本実施の形態２に係る音声対応処理の概要を示すフローチャートである。
なお、本実施の形態２に係る音声対応処理は、上述した実施の形態１で説明した音声対応処理（図７）に対して、図１１に示すように、ステップＳ１０６ＢがステップＳ１０６Ｉに変更されている点、ステップＳ１０６Ｊ，Ｓ１０６Ｋが追加されている点が異なるのみである。このため、以下では、上記異なる点のみを説明する。
【０１０１】
〔ステップＳ１０６Ｉ〕
本実施の形態２に係る動作制御部３２１は、音声処理部２２の動作を開始させた（ステップＳ１０６Ａ）後、ステップＳ１０６Ｉにおいて、リング操作またはタッチ操作が継続しているか否かを常時、監視する。そして、動作制御部３２１は、リング操作またはタッチ操作が停止した場合（ステップＳ１０６Ｉ：Ｎｏ）に、ステップＳ１０６Ｃにおいて、音声処理部２２の動作を停止させる。
以上説明したステップＳ１０６Ａ，Ｓ１０６Ｉ，Ｓ１０６Ｃは、本発明に係る動作制御ステップに相当する。
【０１０２】
〔ステップＳ１０６Ｊ〕
本実施の形態２に係る音声判定部３２２は、ステップＳ１０６Ｄにおいて、ＳＤＲＡＭ２８に記憶された最新の音声データを読み出し、当該音声データを解析する。そして、音声判定部３２２は、Ｆｌａｓｈメモリ２９に記録された関連情報ＲＩに含まれる特定の音声が当該最新の音声データに含まれるか否か（特定の音声が入力されたか否か）を判定する。
なお、本実施の形態２では、ＳＤＲＡＭ２８には、音声処理部２２にて生成された音声データ（ユーザによる１回のリング操作またはタッチ操作の間に生成された音声データ）が順次、所定の数だけ記憶される。すなわち、音声処理部２２にて生成された音声データがＳＤＲＡＭ２８に記憶される際には、既に記憶された上記所定の数の音声データのうち、最も時系列的に古い音声データが削除される。
【０１０３】
そして、音声判定部３２２は、特定の音声が最新の音声データに含まれていないと判断した場合（ステップＳ１０６Ｄ：Ｎｏ）には、ステップＳ１０６Ｊへ移行する。
音声判定部３２２は、ステップＳ１０６Ｊにおいて、ＳＤＲＡＭ２８から上記所定の数の音声データを読み出し、当該所定の数の音声データを時系列に沿って繋いだ連結音声データを生成する。この後、撮像装置１は、ステップＳ１０６Ｋへ移行する。
【０１０４】
〔ステップＳ１０６Ｋ〕
音声判定部３２２は、ステップＳ１０６Ｋにおいて、連結音声データを解析する。そして、音声判定部３２２は、Ｆｌａｓｈメモリ２９に記録された関連情報ＲＩに含まれる特定の音声が当該連結音声データに含まれるか否か（特定の音声が入力されたか否か）を判定する。
特定の音声が連結音声データに含まれると判断された場合（ステップＳ１０６Ｋ：Ｙｅｓ）には、撮像装置１は、ステップＳ１０６Ｅへ移行する。
一方、特定の音声が連結音声データに含まれていないと判断された場合（ステップＳ１０６Ｋ：Ｎｏ）には、撮像装置１は、ステップＳ１０６Ｇへ移行する。
【０１０５】
以上説明した本実施の形態２のように連結音声データを用いて特定の音声が入力されたか否かを判定した場合であっても、上述した実施の形態１と同様の効果を享受できる。
【０１０６】
（その他の実施の形態）
ここまで、本発明を実施するための形態を説明してきたが、本発明は上述した実施の形態１，２によってのみ限定されるべきものではない。
上述した実施の形態１，２において、ライブビュー画像Ｗ２０１〜Ｗ２０３（図８Ａ〜図８Ｃ）、及びパラメータ選択画面Ｗ２０４（図９）に、操作特定部３２３にて設定された変更用操作入力部の操作を促すメッセージを表示させても構わない。
例えば、当該メッセージとしては、変更用操作入力部がレンズ操作部４１である場合には「リング操作を行ってください。」、変更用操作入力部がタッチパネル２５である場合には「タッチ操作を行ってください。」のメッセージを例示することができる。
【０１０７】
上述した実施の形態１，２において、図３に示す関連情報ＲＩは、一例であり、その他の音声と図３に示す関連情報ＲＩに含まれるモードとを関連付けた情報としてもよく、あるいは、その他の音声とその他のモードとを関連付けた情報としても構わない。
上述した実施の形態１，２において、機能実行部３２４が切り替えるモードは、上述した実施の形態１，２で説明したモードに限られず、例えば、その他の撮影パラメータであるＩＳＯ感度やホワイトバランス等を変更するためのモードを採用しても構わない。
上述した実施の形態１，２では、本発明に係る操作入力部として、レンズ操作部４１及びタッチパネル２５を採用していたが、これに限られず、例えば、入力部２０に含まれる機械的なスイッチを本発明に係る操作入力部として採用しても構わない。
【０１０８】
上述した実施の形態１，２において、例えば、本体部２とレンズ部３とを一体的に形成しても構わない。
また、本発明は、デジタル一眼レフカメラ以外にも、例えばアクセサリ等を装着可能なデジタルカメラ、デジタルビデオカメラ及び携帯電話やタブレット型携帯機器等の電子機器にも適用することができる。さらに、つぶやくなど声を発しながら（ツイートしながら）操作入力部を手で操作できるモバイル機器に有効利用できるのはもちろんのこと、モバイル機器に限られず、ユーザが自然に声を出して操作可能な車載、医療、産業用機器にも搭載することが可能であることは言うまでもない。このような場合は、モバイル機器に限られない。また、リング操作以外にレバー操作、スライドスイッチ操作、回転ダイヤル操作、タッチパネル操作等も、それらを動かしながら、あるいは操作しながらつぶやいた状況から、ユーザに対する補助が行われるようにしてもよい。さらに、操作入力部が特有の操作音を発する場合、これを音声ノイズとしてキャンセルし、キーワードを抽出する等、音声解析をすることは言うまでもない。
【０１０９】
また、処理フローは、上述した実施の形態１，２で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１１０】
１  撮像装置
２  本体部
３  レンズ部
１０  シャッタ
１１  シャッタ駆動部
１２  撮像素子
１３  撮像素子駆動部
１４  信号処理部
１５  Ａ／Ｄ変換部
１６  画像処理部
１７  ＡＥ処理部
１８  ＡＦ処理部
１９  画像圧縮展開部
２０  入力部
２１  音声入力部
２２  音声処理部
２３  表示部
２４  表示駆動部
２５  タッチパネル
２６  記録媒体
２７  メモリＩ／Ｆ
２８  ＳＤＲＡＭ
２９  Ｆｌａｓｈメモリ
３０  本体通信部
３１  バス
３２  制御部
３３  光学系
３４  ズームレンズ駆動部
３５  ズームレンズ位置検出部
３６  フォーカスレンズ駆動部
３７  フォーカスレンズ位置検出部
３８  絞り
３９  絞り駆動部
４０  絞り値検出部
４１  レンズ操作部
４２  レンズ記録部
４３  レンズ通信部
４４  レンズ制御部
２０１  電源スイッチ
２０２  レリーズスイッチ
２０３  モード切替スイッチ
２０４  操作スイッチ
２０５  メニュースイッチ
２０６  再生スイッチ
２０７  動画スイッチ
３２１  動作制御部
３２２  音声判定部
３２３  操作特定部
３２４  機能実行部
３２４Ａ  表示制御部
３２４Ｂ  パラメータ変更部
３３１  ズームレンズ
３３２  フォーカスレンズ
Ａ１  ローマ字入力アイコン
Ａ２  かな入力アイコン
Ａ３  決定アイコン
ＤＲ１〜ＤＲ３，ＤＬ１〜ＤＬ３，Ｄ１〜Ｄ３  説明画像
ＫＢ  キーボード入力アイコン
Ｍ  メッセージ表示領域
ＲＩ  関連情報
Ｒ１，Ｒ２  矢印
Ｓ  被写体
ＴＬ１〜ＴＬ４  タイトル画像
ＡＲ，ＡＬ，Ａｒ１〜Ａｒ３  方向画像
Ｗ１００，Ｗ１０１，Ｗ２０１〜Ｗ２０３  ライブビュー画像
Ｗ２０４  パラメータ選択画面
Ｗ２０５  キーボード入力画面
【図１】
2015011634.tif 000003
【図２】
2015011634.tif 000004
【図３】
2015011634.tif 000005
【図４】
2015011634.tif 000006
【図５】
2015011634.tif 000007
【図６Ａ】
2015011634.tif 000008
【図６Ｂ】
2015011634.tif 000009
【図７】
2015011634.tif 000010
【図８Ａ】
2015011634.tif 000011
【図８Ｂ】
2015011634.tif 000012
【図８Ｃ】
2015011634.tif 000013
【図９】
2015011634.tif 000014
【図１０Ａ】
2015011634.tif 000015
【図１０Ｂ】
2015011634.tif 000016
【図１０Ｃ】
2015011634.tif 000017
【図１１】
2015011634.tif 000018